(57)【要約】【課題】撮像時、再生時の操作性を向上させ、表示部の視認性に優れた光学装置を提供する。【解決手段】撮像レンズと撮像素子と表示部を有するカメラユニットを本体ユニットに着脱自在に装着させる構成とし、本体ユニットにカメラユニットを装着して撮像、再生する時、相互のユニット間で画像に関する信号を交信し、画像または画像に関する情報を本体ユニットの表示部に表示させるとともに、カメラユニットの表示部の表示像を観察できることを特徴とする光学装置。【選択図】図１
2007173910.tif 000002
【特許請求の範囲】
【請求項１】
被写体からの光を入射させる開口を有するカメラ筐体と、前記開口に入射した光を撮像素子に結像させる撮像レンズと、前記カメラ筐体に設けられるカメラ表示部と、カメラ信号交信部とを有するカメラユニットと、
前記カメラユニットが着脱可能に装着される本体筐体と、前記本体筐体に設けられる本体表示部と、前記カメラ信号交信部と信号を交信する本体信号交信部とを有する本体ユニットとを備え、
前記カメラユニットが装着された時に前記カメラ表示部の表示像を観察可能とする表示窓が前記本体ユニットに設けられ、
前記カメラ信号交信部と前記本体信号交信部を介して交信される画像に関する信号に基づいて、画像または画像に関する情報または撮像情報を前記本体表示部と前記カメラ表示部とに表示させる制御部が設けられていることを特徴とする光学装置。
【請求項２】
前記カメラ表示部は前記カメラ筐体の前記開口に対して反対側の面に設けられ、前記本体表示部は、前記カメラユニットが装着された時に前記本体筐体の前記カメラユニットが装着される面とは反対側の面に設けられていることを特徴とする請求項１に記載の光学装置。
【請求項３】
前記表示窓は前記カメラ表示部の一部を観察可能とする大きさを有し、前記制御部は前記カメラ表示部の観察可能な範囲に画像または画像に関する情報または撮像情報を表示させることを特徴とする請求項１または２に記載の光学装置。
【請求項４】
前記本体ユニットには、前記カメラ表示部に表示される表示像を前記表示窓に導くファインダ光学手段を備えられていることを特徴とする請求項１または２に記載の光学装置。
【請求項５】
前記制御部は、前記本体表示部と前記カメラ表示部とのいずれか一方には画像を表示させ、他方には画像に関する情報を表示させることを特徴とする請求項１乃至４のいずれか１項に記載の光学装置。
【請求項６】
前記制御部は、前記本体表示部と前記カメラ表示部とのいずれか一方には画像を表示させ、他方には一方に表示した画像に関する設定情報を表示させることを特徴とする請求項５に記載の光学装置。
【請求項７】
画像に関する情報が文字情報であることを特徴とする請求項５に記載の光学装置。
【請求項８】
前記制御部は、前記本体表示部と前記カメラ表示部とのいずれか一方には画像を表示させ、他方には一方に表示した画像の撮像に関する操作情報を表示させることを特徴とする請求項１乃至４のいずれか１項に記載の光学装置。
【請求項９】
前記表示窓の周りに操作部材が配置され、前記制御部は前記操作部材に関連する操作情報を前記カメラ表示部に表示させることを特徴とする請求項８に記載の光学装置。
【請求項１０】
操作情報が文字情報であることを特徴とする請求項８または９に記載の光学装置。
【請求項１１】
前記制御部は、前記本体表示部と前記カメラ表示部とに異なる画像を表示させることを特徴とする請求項１乃至４のいずれか１項に記載の光学装置。
【請求項１２】
前記制御部は、前記本体表示部と前記カメラ表示部とのいずれか一方には画像を表示させ、他方には一方に表示した画像を拡大した画像を表示させることを特徴とする請求項１１に記載の光学装置。
【請求項１３】
前記制御部は、前記本体表示部と前記カメラ表示部とのいずれか一方には画像を表示させ、他方には一方に表示した画像の前または後のコマの画像を表示させることを特徴とする請求項１１に記載の光学装置。
【請求項１４】
前記制御部は、前記本体表示部と前記カメラ表示部とのいずれか一方には画像を表示させ、他方には一方に表示した画像を加工処理する補助画像を表示させることを特徴とする請求項１１に記載の光学装置。
【発明の詳細な説明】
【技術分野】
【０００１】
本発明は、カメラユニットが本体ユニットに着脱自在に装着される光学装置に関し、特に、画像または画像に関する情報の表示を行う光学装置に関するものである。
【背景技術】
【０００２】
近年、パーソナルコンピュータの普及に伴い、手軽にパーソナルコンピュータに画像を取り込めるデジタルカメラが普及している。また、モバイルコンピュータ、携帯電話、携帯情報端末（ＰＤＡ：Ｐｅｒｓｏｎａｌ  Ｄｉｇｉｔａｌ  Ａｓｓｉｓｔａｎｔ）等の情報処理機器にデジタルカメラを組み込むことも一般化している。このようなデジタルカメラの普及にともない、プリント、保存などを行う周辺機器に画像情報を伝送することができるデジタルカメラが要望されるようになってきている。
【０００３】
そこで、デジタルカメラをカメラユニットと本体ユニットとを分離させ、撮像素子を用いて取得した画像情報を相互のユニット間で交信したり、また、撮像した画像を別の機器に表示する技術が開示されている。
【０００４】
例えば、特許文献１には、カメラユニットが撮像レンズと撮像素子を備え、本体ユニットのレリーズ操作によりカメラユニットの撮像レンズで撮像し、カメラユニットから本体ユニットに画像を送信して、本体ユニットの表示部に表示させることが開示されている。
【０００５】
また、特許文献２には、カメラ機能が付いた携帯電話を収納するアダプタが開示され、アダプタのレリーズ操作に同期させて携帯電話のカメラで撮像し、携帯電話のカメラで撮像した画像をアダプタの開口窓を通して確認することが開示されている。
【特許文献１】特開２００４−２０１０７３号公報
【特許文献２】特開２００２−６２５７８号公報
【発明の開示】
【発明が解決しようとする課題】
【０００６】
ところが、特許文献１においては、カメラユニットを本体ユニットに装着して撮像することができるが、カメラユニットのみでは撮像することができず、また、撮像した画像を表示部に表示させることができるが、撮像画像とその関連する情報とを表示するにはひとつの表示部に重ねて表示することとなり、表示が見づらくなる。
【０００７】
また、特許文献２では、アダプタの開口窓を通して、携帯電話のカメラで撮像した画像を確認できるが、アダプタに関する情報を表示させることはできない。
【０００８】
本発明はこのような問題点に鑑みてなされたもので、カメラユニットのみでも撮像することができ、また、撮像画像を観察することができ、カメラユニットを本体ユニットに装着しても、撮像・再生することができ、撮像・再生画像とともに画像に関連する情報を表示して撮像時、再生時の操作性を向上させ、表示部の視認性に優れた光学装置を提供することを目的とする。
【課題を解決するための手段】
【０００９】
上記の課題は次の構成により解決される。
【００１０】
１．  被写体からの光を入射させる開口を有するカメラ筐体と、前記開口に入射した光を撮像素子に結像させる撮像レンズと、前記カメラ筐体に設けられるカメラ表示部と、カメラ信号交信部とを有するカメラユニットと、
前記カメラユニットが着脱可能に装着される本体筐体と、前記本体筐体に設けられる本体表示部と、前記カメラ信号交信部と信号を交信する本体信号交信部とを有する本体ユニットとを備え、
前記カメラユニットが装着された時に前記カメラ表示部の表示像を観察可能とする表示窓が前記本体ユニットに設けられ、
前記カメラ信号交信部と前記本体信号交信部を介して交信される画像に関する信号に基づいて、画像または画像に関する情報または撮像情報を前記本体表示部と前記カメラ表示部とに表示させる制御部が設けられていることを特徴とする光学装置。
【００１１】
２．  前記カメラ表示部は前記カメラ筐体の前記開口に対して反対側の面に設けられ、前記本体表示部は、前記カメラユニットが装着された時に前記本体筐体の前記カメラユニットが装着される面とは反対側の面に設けられていることを特徴とする１に記載の光学装置。
【００１２】
３．  前記表示窓は前記カメラ表示部の一部を観察可能とする大きさを有し、前記制御部は前記カメラ表示部の観察可能な範囲に画像または画像に関する情報または撮像情報を表示させることを特徴とする１または２に記載の光学装置。
【００１３】
４．  前記本体ユニットには、前記カメラ表示部に表示される表示像を前記表示窓に導くファインダ光学手段を備えられていることを特徴とする１または２に記載の光学装置。
【００１４】
５．  前記制御部は、前記本体表示部と前記カメラ表示部とのいずれか一方には画像を表示させ、他方には画像に関する情報を表示させることを特徴とする１乃至４のいずれか１項に記載の光学装置。
【００１５】
６．  前記制御部は、前記本体表示部と前記カメラ表示部とのいずれか一方には画像を表示させ、他方には一方に表示した画像に関する設定情報を表示させることを特徴とする５に記載の光学装置。
【００１６】
７．  画像に関する情報が文字情報であることを特徴とする５に記載の光学装置。
【００１７】
８．  前記制御部は、前記本体表示部と前記カメラ表示部とのいずれか一方には画像を表示させ、他方には一方に表示した画像の撮像に関する操作情報を表示させることを特徴とする１乃至４のいずれか１項に記載の光学装置。
【００１８】
９．  前記表示窓の周りに操作部材が配置され、前記制御部は前記操作部材に関連する操作情報を前記カメラ表示部に表示させることを特徴とする８に記載の光学装置。
【００１９】
１０．  操作情報が文字情報であることを特徴とする８または９に記載の光学装置。
【００２０】
１１．  前記制御部は、前記本体表示部と前記カメラ表示部とに異なる画像を表示させることを特徴とする１乃至４のいずれか１項に記載の光学装置。
【００２１】
１２．  前記制御部は、前記本体表示部と前記カメラ表示部とのいずれか一方には画像を表示させ、他方には一方に表示した画像を拡大した画像を表示させることを特徴とする１１に記載の光学装置。
【００２２】
１３．  前記制御部は、前記本体表示部と前記カメラ表示部とのいずれか一方には画像を表示させ、他方には一方に表示した画像の前または後のコマの画像を表示させることを特徴とする１１に記載の光学装置。
【００２３】
１４．  前記制御部は、前記本体表示部と前記カメラ表示部とのいずれか一方には画像を表示させ、他方には一方に表示した画像を加工処理する補助画像を表示させることを特徴とする１１に記載の光学装置。
【発明の効果】
【００２４】
本発明によれば、撮像レンズと撮像素子と表示部を有するカメラユニットを本体ユニットに着脱自在に装着させる構成とし、本体ユニットにカメラユニットを装着して撮像、再生する時、相互のユニット間で画像に関する信号を交信し、画像または画像に関する情報を本体ユニットの表示部に表示させるとともに、カメラユニットの表示部の表示像を観察できる構成とすることにより、撮像時、再生時の操作性を向上させ、表示部の視認性に優れた光学装置を提供することができる。
【発明を実施するための最良の形態】
【００２５】
以下、本発明の第１実施形態について図面を参照しながら説明する。図１（ａ）は本体ユニットからカメラユニットを分離した状態を示す斜視図であり、図１（ｂ）は同じく装着した状態を示す斜視図であり、また、図２（ａ）は本体ユニットからカメラユニットを分離した状態を示す背面図であり、図２（ｂ）は同じく装着した状態を示す背面図であり、光学装置は、本体ユニット１とカメラユニット１０１が着脱自在に構成される。
【００２６】
まず、カメラユニット１０１の構成について説明する。カメラユニット１０１は、それ単独で撮像機能を有している。カメラユニット１０１は、カメラ筐体１１０の前面に撮像レンズ１１２、背面にカメラ表示部１１５、ズームボタン１１７、上面にレリーズボタン１１９、カメラ電源ボタン１２０、カメラ検知スイッチ１０９を備えている。
【００２７】
撮像レンズ１１２は、ズームレンズであり、カメラ筐体１１０の開口を介して被写体からの光を入射させ、開口には被写体からの光を入射させるためのレンズが図１に示すようにカメラユニット１０１の前面から見てカメラ筐体１１０の右側に配置されている。
【００２８】
カメラ表示部１１５は、液晶ディスプレイ（ＬＣＤ）からなり、カメラユニット１０１の背面において図２に示すように右側で、使用者がカメラユニット１０１を保持するのに妨げにならない位置に配置され、撮像した画像のほか光学装置の設定状況、操作案内など撮像画像に関連する情報を表示する。
【００２９】
ズームボタン１１７は撮像レンズ１１２の焦点距離を設定するのに用いられる。カメラ電源ボタン１２０はカメラユニット１０１の主電源のオン・オフを行い、カメラ電源ボタン１２０がオン状態で、レリーズボタン１１９をオンにするとカメラユニット１０１の露光が開始される。
【００３０】
カメラ検知スイッチ１０９は、カメラユニット１０１が本体ユニット１から分離した状態ではオフであり、カメラユニット１０１が本体ユニット１に装着されるとオンに切り換わる。
【００３１】
次に、本体ユニット１について説明する。本体ユニット１は、本体筐体１０の前面にフラッシュユニット１３、挿入部８、挿入部８の内部に本体検知スイッチ９、背面に本体表示部１５、表示窓１１、モード設定スイッチ１６、切り換えボタン１７、メニューボタン１８、上面にレリーズボタン１９、本体電源ボタン２０を備えている。
【００３２】
挿入部８は、本体ユニット１の側面の開口から横方向に箱形状の空洞であり、カメラユニット１０１を横型に収納し、カメラユニット１０１と着脱自在であり、カメラユニット１０１が収納されると図示しない連結機構により所定の位置でカメラユニット１０１を固定する。
【００３３】
本体表示部１５は、液晶ディスプレイ（ＬＣＤ）からなり、本体ユニット１の背面において図２に示すように左側に配置され、カメラユニット１０１で撮像した画像、その再生画像のほか光学装置の設定状況、操作案内など画像に関連する情報を表示する。
【００３４】
表示窓１１は、挿入部８に設けられ、カメラユニット１０１を本体ユニット１に装着した時、カメラ表示部１１５に対向し、カメラ表示部１１５の表示像を観察できるように、本体ユニット１の背面に貫通させた開口である。また、表示窓１１は、本体表示部１５と重ならないように図２に示すように右側に配置され、カメラ表示部１１５の一部を観察できる大きさである。表示窓１１の周りには、切り換えボタン１７、メニューボタン１８が配置されている。
【００３５】
モード設定スイッチ１６は、カメラユニット１０１を装着した状態において撮像モード、再生モードの設定に用いられ、メニューボタン１８は、撮像時のホワイトバランス調整、露出補正、フラッシュモードなど、また再生時のヒストグラム表示などのメニューを起動させ、切り換えボタン１７は、メニューの選択、メニュー中のサブメニューの選択に用いられる。
【００３６】
本体検知スイッチ９は、カメラユニット１０１が本体ユニット１から分離した状態ではオフであり、カメラユニット１０１が本体ユニット１に装着されるとオンに切り換わる。
【００３７】
本体電源ボタン２０は本体ユニット１の主電源のオン・オフを行う。本体電源ボタン２０、カメラ電源ボタン１２０がオン状態でレリーズボタン１９をオンにすると、カメラユニット１０１の露光が開始され、撮像された画像や画像に関連する情報が、本体表示部１５、カメラ表示部１１５に表示される。
【００３８】
カメラユニット１０１と本体ユニット１の内部構成について、図３（ａ）、図３（ｂ）、図４を参照しながら説明する。図３（ａ）は本体ユニットからカメラユニットを分離した状態を示す透視図であり、図３（ｂ）は同じく装着した状態を示す透視図であり、図４は本体ユニットとカメラユニットの電気的構成を示すブロック図である。
【００３９】
カメラユニット１０１は、前述のように、撮像レンズ１１２およびカメラ表示部１１５のほか、図４に示す、撮像素子であるＣＣＤ１２８、信号処理部１２２、画像記録部１２３、操作部１２４、撮像レンズ駆動部１２５、通信用インターフェイス（以下、Ｉ／Ｆと言う）１３２、電源１３０、フラッシュメモリ１２７および制御部１２６を有している。
【００４０】
撮像レンズ１１２は、屈曲光学系のズームレンズであり、プリズムからなる屈曲部１８１により被写体からの光をほぼ直角に折り曲げ、ＣＣＤ１２８に結像させる。
【００４１】
図４に示すように、ＣＣＤ１２８は被写体からの光を色成分の画像信号に光電変換し、信号処理部１２２はＣＣＤ１２８から出力される画像信号のレベル調整を行い、Ａ／Ｄ変換部１１４は画像信号をデジタル信号に変換する。タイミング制御回路１３４は撮像素子１２８、信号処理部１２２、Ａ／Ｄ変換部１１４から信号を入出力させるタイミングを制御する。
【００４２】
画像処理部１２１はＡ／Ｄ変換された画像信号に黒レベル補正、γ補正、ホワイトバランス調整などの画像処理を行い、画像記録部１２３は画像処理部１２１から出力された画像信号を一時的に保存する。
【００４３】
操作部１２４は、ズームボタン１１７、レリーズボタン１１９、電源ボタン１２０の総称であり、使用者が操作したボタンに関する信号を制御部１２６に伝達する。
【００４４】
撮像レンズ駆動部１２５は、図示しないが、変倍機構、焦点調節機構、絞り機構を駆動する各モータとその駆動力を各レンズ群と絞りに伝達する伝達機構を有しており、撮像レンズ１１２の所望の焦点距離、撮像距離にするためにレンズ群を駆動させ、所望の露出値にするために絞りを駆動する。
【００４５】
カメラ信号交信部１３１は、撮像レンズ１１２の屈曲部１８１の被写体とは反対の部分に配置され、通信用Ｉ／Ｆ１３２の赤外線ポートから、赤外線透過窓１３１ａを介して本体ユニット１の赤外線ポートと信号の交信を行う。通信用Ｉ／Ｆ１３２は、カメラユニット１０１が本体ユニット１に装着された時にカメラ検知スイッチ１０９が作動して、カメラユニット１０１の電源１３０から電源の供給を受け、カメラ信号交信部１３１が本体ユニット１の後述する本体信号交信部と信号を交信することが可能となる。カメラ信号交信部１３１はＵＳＢコネクタでも良い。
【００４６】
フラッシュメモリ１２７は、カメラ信号交信部１３１から入力された情報を記録し、電源１３０がオフ状態でも情報を保存し、カメラユニット１０１に接続されたパーソナルコンピュータやプリンタなどの外部機器に情報を出力し、記録した情報を外部機器によって消去することができる記録部を有する。
【００４７】
制御部１２６は、操作部１２４、カメラ検知スイッチ１０９、通信用Ｉ／Ｆ１３２から信号を受信し、撮像レンズ駆動部１２５、タイミング制御回路１３４、画像処理部１２１、画像記録部１２３を介して、オートフォーカス制御、露出制御、ホワイトバランス制御などを行い、ＬＣＤ１１５の表示情報を一時的に保存するＶＲＡＭ１２９を介してＬＣＤ１１５を制御し、フラッシュメモリ１２７を制御する。
【００４８】
また、制御部１２６は、通信用Ｉ／Ｆ１３２を介して本体ユニット１側に送信する信号を制御し、画像処理部１２１から出力された画像信号から、撮像時のＬＣＤ表示に用いるライブビュー画像を生成し、また、画像信号から圧縮画像、サムネイル画像、タグ情報の画像データを生成し、通信用Ｉ／Ｆ１３２を介して本体ユニット１側にライブビュー画像や画像データの信号を送信する。なお、タグ情報は、コマ番号、露出値、圧縮率、撮像日時などの再生画像に関する信号である。
【００４９】
本体ユニット１の内部構成を説明する。本体ユニット１は、図１に示すように、本体表示部１５、フラッシュユニット１３のほか、図４に示すように、操作部２４、本体信号交信部３１、着脱可能であるメモリカード２３および制御部２６を有している。
【００５０】
操作部２４は、モード設定スイッチ１６、切り換えボタン１７、メニューボタン１８、レリーズボタン１９、電源ボタン２０の総称であり、使用者が操作したボタンに関する信号を制御部２６に伝達する。
【００５１】
本体信号交信部３１は、カメラ信号交信部１３１に対向して、挿入部８の奥の側面に設けられ、通信用Ｉ／Ｆ３２の赤外線ポートから、カメラユニット１０１側の赤外線ポートと信号の交信を行う。通信用Ｉ／Ｆ３２は、カメラユニット１０１が本体ユニット１に装着された時に本体検知スイッチ９が作動して、本体ユニット１の電源３０から電源の供給を受け、本体信号交信部３１がカメラ信号交信部１３１と信号を交信することが可能となる。本体信号交信部３１はＵＳＢコネクタでも良い。
【００５２】
メモリカード２３は、カメラユニット１０１からカメラ信号交信部１３１、本体信号交信部３１を介して送信される圧縮画像、サムネイル画像、タグ情報の画像データを記録する。
【００５３】
制御部２６は、フラッシュユニット１３、操作部２４、本体検知スイッチ９、通信用Ｉ／Ｆ３２から信号を受信し、フラッシュユニット１３、ＬＣＤ１５の表示情報を一時的に保存するＶＲＡＭ２９、メモリカード２３のインターフェイスであるカードＩ／Ｆ３３を制御し、また、通信用Ｉ／Ｆ３２を介してカメラユニット１０１側に送信するデータを制御する。
【００５４】
次に、光学装置の動作、本体ユニットとカメラユニットの交信制御、表示例について説明する。図５、図６のフロー図において、左側が本体ユニットのフロー図で、右側がカメラユニットのフロー図であり、両フロー図間を繋ぐ矢印は、矢印の方向に信号を送信することを示す。
【００５５】
本体ユニットの処理ルーチンは制御部２６が行い、カメラユニットの処理ルーチンは制御部１２６が行う。
【００５６】
本体ユニット１に設けられている本体電源ボタン２０が操作されて、本体電源ボタン２０がオン状態になると（Ｓ１０１）、電源３０から本体ユニット１の各部に電源が供給され、本体ユニット１が起動される。
【００５７】
次に、本体ユニット１は、本体検知スイッチ９のオン・オフをチェックして（Ｓ１０２）、オフ状態であると（Ｓ１０２；ＮＯ）カメラユニット１０１が装着されてない場合であり、本体ユニット１単独でもメモリカード２３に記憶された画像を本体表示部１５に表示させることが可能である単独再生モードになり、オン状態であると（Ｓ１０２；ＹＥＳ）カメラユニット１０１が装着されている場合であり、合体カメラモードになる。単独再生モードについては、説明は省略する。
【００５８】
同様に、カメラユニット１０１側でも、カメラ電源ボタン１２０がオン状態になると（Ｓ２０１）、電源１３０からカメラユニット１０１の各部に電源が供給され、カメラユニット１０１が起動される。
【００５９】
カメラユニット１０１は、カメラ検知スイッチ１０９のオン・オフをチェックして（Ｓ２０２）、カメラ検知スイッチ１０９がオフ状態であると（Ｓ２０２；Ｎｏ）、カメラユニット１０１単独で撮像可能である単独カメラモードになり、オン状態であると（Ｓ２０２；ＹＥＳ）本体ユニット１に装着されている場合であり、合体カメラモードになる。単独カメラモードについては、説明は省略する。
【００６０】
合体カメラモードになると、まず、本体ユニット１の電源３０、カメラユニット１０１の電源１３０から電源が本体信号交信部３１、カメラ信号交信部１３１の赤外線通信部に供給され（Ｓ１０３、Ｓ２０３）、本体ユニット１とカメラユニット１０１は、撮像モードなどの設定信号を本体ユニット１とカメラユニット１０１との間で双方向に交信することを開始する（Ｓ１０４、Ｓ２０４）。
【００６１】
カメラユニット１０１は、撮像レンズ１１２で結像された光をＣＣＤ１２８に取り込み、光電変換、信号処理、Ａ／Ｄ変換、画像処理を行って、撮像を開始し（Ｓ２０５）、画像処理された画像信号からライブビュー画像を生成し、カメラ信号交信部１３１を介して本体ユニット１側にライブビュー画像の信号を送信する（Ｓ２０６）。
【００６２】
本体ユニット１は、ライブビュー画像の信号を受信し（Ｓ１０５）、ＬＣＤ１５の画面サイズに合うように画像の間引き処理を行い、ＶＲＡＭ２９を介してＬＣＤ１５にライブビュー画像を表示させ（Ｓ１０６）、レリーズボタン１９が押され、レリーズ信号がオンになるまで、ＬＣＤ１５に順次取り込んだライブビュー画像の信号に基づく画像を表示させる（Ｓ１０７）。
【００６３】
一方、カメラユニット１０１は、本体ユニット１側から受信した撮像モードの設定に関する信号に基づいて、ＶＲＡＭ１２９を介してＬＣＤ１１５に撮像モードなど撮像条件を表示させる（Ｓ２０７）。
【００６４】
撮像条件などの表示例を図１０に示す。図１０では本体ユニット１の背面の本体表示部１５には、順次取り込んだライブビュー画像が表示され、カメラ表示部１１５には、設定情報であるプログラムモードＰと撮像可能枚数を示す数字５５が表示窓１１の観察可能である範囲に収まるよう縮小されて表示され、これらの設定情報が本体ユニット１の表示窓１１から観察することができる。
【００６５】
次に、本体ユニット１のレリーズボタン１９が半押しされると（Ｓ１０７）、本体ユニット１がレリーズ信号をカメラユニット１０１側に送信する（Ｓ１０８）。カメラユニット１０１は、レリーズ信号を受信すると（Ｓ２０８）、オートフォーカス装置から検出した撮像距離と測光した露出値が固定される（Ｓ２０９）。
【００６６】
本体ユニット１のレリーズボタン１９がさらに押しこまれると、カメラユニット１０１は、測光した露出値で露光を開始し（Ｓ２１０）、被写体の輝度に応じてフラッシュユニット１３の発光の有無を判定し（Ｓ２１１）、輝度が高い場合には本体ユニット１側に発光信号を送信せず、輝度が低い場合には本体ユニット１側に発光信号を送信する（Ｓ２１２）。
【００６７】
本体ユニット１は、発光信号を受信すると（Ｓ１０９）、フラッシュユニット１３を発光させ（Ｓ１１０）、フラッシュ発光が終了すると、カメラユニット１０１側に発光終了信号を送信し（Ｓ１１１、Ｓ２１３）、ＣＣＤ１２８への露光が終了する（Ｓ２１４）。
【００６８】
カメラユニット１０１は、露光が終了した光をＣＣＤ１２８に取り込み、光電変換、信号処理、Ａ／Ｄ変換、画像処理を行わせ、画像処理された画像信号から圧縮画像、サムネイル画像、タグ情報である画像データを生成し（Ｓ２１５）、生成した画像データの信号を本体ユニット１側に送信する（Ｓ２１６）。
【００６９】
本体ユニット１は、画像データの信号を受信し（Ｓ１１２）、受信した画像データの信号から、ＬＣＤ１５の画面サイズに合うように画像の間引き処理を行い、間引き処理したアフタービュー画像をＬＣＤ１５に表示させ（Ｓ１１３）、画像データをメモリカード２３に記録させる（Ｓ１１４）。
【００７０】
ここまでの一連の撮像動作を終了すると待機状態となり、本体ユニット１、カメラユニット１０１は、本体検知スイッチ９、カメラ検知スイッチ１０９の状態をチェックし（Ｓ１１５、Ｓ２１７）、本体検知スイッチ９、カメラ検知スイッチ１０９がオフである場合には、各々赤外線通信部に電源を供給することを停止させ（Ｓ１１６、Ｓ２１８）、本体ユニット１では単独再生モードに進み、カメラユニット１０１では単独カメラモードに進む。
【００７１】
本体検知スイッチ９、カメラ検知スイッチ１０９がオフでない場合には本体電源ボタン２０、カメラ電源ボタン１２０の状態をチェックし（Ｓ１１７、Ｓ２１９）、本体電源ボタン２０、カメラ電源ボタン１２０がオフでない場合には、本体ユニット１側では、図５、図６に示すＣのルーチンを行い、Ｓ１０５からＳ１１７までのステップを繰り返し、カメラユニット１０１側では、図５、図６に示すＤのルーチンを行い、Ｓ２０５からＳ２１７までのステップを繰り返す。本体電源ボタン２０、カメラ電源ボタン１２０がオフである場合には、各々の電源をオフして撮像動作を終了する（Ｓ１１８、Ｓ２２０）。
【００７２】
次に、合体カメラモードにおける信号交信制御、表示例について説明する。図７に撮像時における表示のフロー図を示し、図８、図９に再生時における表示のフロー図を示す。
【００７３】
撮像時の表示について説明する。図７で、本体ユニット１は、モード切り換えスイッチ１６の再生ボタンのオン・オフをチェックし（Ｓ１３１）、再生ボタンがオンなら後述する再生モードになり、再生ボタンがオフである場合には、撮像時の表示を行うカメラモードとなり、カメラモードではカメラモード信号をカメラユニット１０１側に送信する（Ｓ１３２）。
【００７４】
カメラユニット１０１は、ＬＣＤ１１５をオン状態にして（Ｓ２３１）、撮像光をＣＣＤ１２８に取り込み、光電変換、信号処理、Ａ／Ｄ変換、画像処理を行って、撮像を開始し（Ｓ２３２）、ライブビュー画像の信号を本体ユニット１側に送信する（Ｓ２３３）。
【００７５】
本体ユニット１は、ライブビュー画像の信号を受信すると、間引き処理したライブビュー画像をＬＣＤ１５に表示させ（Ｓ１３３）、レリーズボタン１９が押されレリーズ信号がオンになるまで、ＬＣＤ１５の表示動作を繰り返し行う（Ｓ１３４）。
【００７６】
一方、カメラユニット１０１は、画像処理された画像信号から画面の中央部の画素を抽出し拡大処理を行い、図１１に示すように、ＬＣＤ１１５にライブビュー画像の中央部１５ａを拡大した画像を表示させ（Ｓ２３４）、本体ユニット１側からレリーズ信号を受信するまで、ＬＣＤ１１５の表示動作を繰り返し行い（Ｓ２３５）、ＬＣＤ１１５の拡大画像を表示窓１１から観察可能とし、オートフォーカスにおける合焦状態を確認することができる。
【００７７】
次に、本体ユニット１は、レリーズボタン１９が押されると、カメラユニット１０１側にレリーズ信号を送信する（Ｓ１３５）。カメラユニット１０１は、レリーズ信号を受信すると（Ｓ２３５；ＹＥＳ）、露光が終了した光をＣＣＤ１２８に取り込み、光電変換、信号処理、Ａ／Ｄ変換、画像処理を行わせ、画像処理された画像信号から画像データを生成し（Ｓ２３６）、生成した画像データの信号を本体ユニット１側に送信する（Ｓ２３７）。
【００７８】
本体ユニット１は、画像データの信号を受信し、受信した画像データの信号からＬＣＤ１５の画面サイズに合うように画像の間引き処理したアフタービュー画像をＬＣＤ１５に表示させ（Ｓ１３６）、再生ボタンがオンされるまで表示動作を繰り返す（Ｓ１３７）。
【００７９】
一方、カメラユニット１０１は、画像データに基づいて画像の明るさ分布を分析処理し、図１２に示すように、ＬＣＤ１１５にヒストグラムを表示させ（Ｓ２３８）、ヒストグラムを表示窓１１から観察できるようにし、所定時間が経過するまでヒストグラム表示を繰り返し行わせる（Ｓ２３９）。
【００８０】
次に、図８の再生時の表示について説明する。
【００８１】
本体ユニット１は、モード切り換えスイッチ１６の再生ボタンのオン・オフをチェックし（Ｓ１５１）、再生ボタンがオンでないなら図７に示すカメラモードになり、再生ボタンがオンである場合には、再生モードとなり、再生モードでは再生モード信号をカメラユニット１０１側に送信する（Ｓ１５２）。
【００８２】
本体ユニット１は、メモリカード２３が装着されているか否かをチェックし（Ｓ１５３）、メモリカード２３が装着されていない場合には、警告信号をカメラユニット１０１側に送信し（Ｓ１５５）、また、メモリカード２３が装着されていても、メモリカード２３に画像データがない場合には、警告信号をカメラユニット１０１側に送信する（Ｓ１５５）。カメラユニット１０１は、ＬＣＤ１１５がオン状態になり（Ｓ２５１）、ＬＣＤ１１５に、メモリカードない、あるいは画像がない旨の警告表示をさせる（Ｓ２５２）。
【００８３】
本体ユニット１は、メモリカード２３に画像データがある場合には、メモリカード２３から直近に撮像された画像データを読み出し（Ｓ１５６）、カメラユニット１０１側にタグ情報の信号を送信し（Ｓ１５７）、ＬＣＤ１５に間引き処理した再生画像を表示させる（Ｓ１５８）。
【００８４】
カメラユニット１０１は、受信したタグ情報の中から撮像日時情報を選択し、図１３に示すように、ＬＣＤ１１５に設定情報である撮像日時情報１１５ａを表示させる（Ｓ２５３）。
【００８５】
次に、本体ユニット１は、コマ送りをするメニューボタン１８の操作の有無をチェックし（Ｓ１５９）、コマ送り操作がある場合には、図９に示す処理ルーチン（Ｓ１７０：コマ送りサブルーチン）を行う。
【００８６】
図９のコマ送りサブルーチンは、撮像した画像の前または後に撮像した画像をふたつの表示部に同時に表示させるものである。
【００８７】
本体ユニット１は、直近に撮像された画像（Ｎ）をメモリカード２３から読み出し（Ｓ１７１）、ＬＣＤ１５に画像（Ｎ）を表示させた状態において（Ｓ１７２）、コマ送り操作があると（Ｓ１７３；Ｙｅｓ）、画像（Ｎ）に対応するサムネイル画像の信号をカメラユニット１０１側に送信し（Ｓ１７４）、画像のコマ番号Ｎを繰り上げてコマ番号Ｎ＋１とする（Ｓ１７５）。
【００８８】
カメラユニット１０１は、受信したサムネイル画像の信号からＬＣＤ１１５の画面サイズに合うように間引き処理し、間引き処理した画像（Ｎ）をＬＣＤ１１５に表示させる（Ｓ２７１）。
【００８９】
本体ユニット１は、コマ戻し操作があると（Ｓ１７３；Ｎｏ、Ｓ１７６；Ｙｅｓ）、画像（Ｎ）に対応するサムネイル画像の信号をカメラユニット１０１側に送信し（Ｓ１７７）、画像のコマ番号Ｎを繰り下げてコマ番号Ｎ−１とする（Ｓ１７８）。カメラユニット１０１は、受信した信号にから間引き処理した画像（Ｎ）をＬＣＤ１１５に表示させる（Ｓ２７１）。
【００９０】
コマ操作を継続する場合には（Ｓ１７９：Ｙｅｓ）、Ｓ１７１に戻り、コマ操作を継続しない場合には（Ｓ１７９：Ｎｏ）、図８のＳ１５９に示すコマ送り操作の有無の判定に戻る。
【００９１】
図８のＳ１５９でコマ送り操作がないと（Ｓ１５９：Ｎｏ）、ＬＣＤ１５に再生画像を表示している状態でメニューボタン１８の操作による拡大モードの選択の有無をチャックし（Ｓ１６０）、拡大モードが選択されている場合には、本体ユニット１は、その画像の拡大表示信号をカメラユニット１０１側に送信し（Ｓ１６１）、再生ボタンのオン・オフをチェックする（Ｓ１６４）。カメラユニット１０１は、拡大表示信号を受信すると、再生画像を拡大処理し、拡大した画像をＬＣＤ１１５に表示させる（Ｓ２５４）。
【００９２】
次に、メニューボタン１８の操作によるヒストグラムモードの選択の有無をチェックし（Ｓ１６２）、ヒストグラムモードが選択されている場合には、本体ユニット１は、ＬＣＤ１５に表示させた再生画像のヒストグラム表示信号をカメラユニット１０１側に送信し（Ｓ１６３）、再生ボタンのオン・オフをチェックする（Ｓ１６４）。カメラユニット１０１は、ヒストグラム表示信号を受信すると、ヒストグラムをＬＣＤ１１５に表示させる（Ｓ２５５）。ヒストグラムモードが選択されないと、再生ボタンがオフになるまで、表示動作が継続される（Ｓ１６４）。
【００９３】
表示例の別の実施態様について説明する。図１４、図１５は本体ユニット１の操作ボタンに対応させてメニューや選択項目をＬＣＤに表示させる操作設定に関する表示例である。図１４において、例えばメニューとして「ズーム」を例示すると、本体ユニット１のＬＣＤ１５にはライブビュー画像が表示され、カメラユニット１０１のＬＣＤ１１５には、メニューボタン１８に対応して「ＭＥＮＵ」１１５ａが表示され、切り換えボタン１７ａ、１７ｂに対応してズーム表示「ＴＥＬＥ」、「ＷＩＤＥ」１１５ｂが表示され、使用者が本体ユニット１の表示窓１１から観察することができる。切り換えボタン１７ａ、１７ｂがズーム操作ボタンとして機能し、切り換えボタン１７ａを押し続けるとＬＣＤ１５の画像が拡大され、切り換えボタン１７ｂを押し続けるとＬＣＤ１５の画像が縮小して表示される。
【００９４】
図１５では、撮像情報であるホワイトバランスの設定の表示について説明する。本体ユニット１のＬＣＤ１５には、設定するメニューが、切り換えボタン１７ａ、１７ｂにより選択可能に表示され、カメラユニット１０１のＬＣＤ１１５には、選択したメニューに対応する項目と選択肢、例えばＷＢ（ホワイトバランス）とホワイトバランスの選択肢である「屋外」と「屋内」が切り換えボタン１７ｃ、１７ｄに対応して表示されている。選択操作をするには、ＬＣＤ１５にホワイトバランスのメニューが表示されるまでメニューボタン１８を押して、ホワイトバランスのメニューが現れると、切り換えボタン１７ａ、１７ｂにより図１５のハッチングに示すカーソルをアップダウンさせてホワイトバランスを選択し、次に、切り換えボタン１７ｃ、１７ｄにより「屋外」か「屋内」を選択して行う。
【００９５】
さらに別の表示例の実施態様について説明する。図１６は画像処理の補助画像を表示させる表示例である。本体ユニット１のＬＣＤ１５には撮像した元画像を表示させ、カメラユニット１０１のＬＣＤ１１５には例えば色補正する画像を表示させる。逆に、カメラユニット１０１のＬＣＤ１１５に元画像を表示させ、本体ユニット１のＬＣＤ１５に補正画像を表示させても良い。また、色補正の他に、画像の明るさを補正するために元画像と明るさを補正する画像を本体表示部１５とカメラ表示部１１５に表示させることもできる。
【００９６】
なお、図１６において、本体表示部１５は本体筐体１０の背面において右側に配置され、カメラユニット１０１は、横型の筐体に撮像レンズ、ズームボタン、レリーズボタンが図１、図２と同様に配置されているが、ＬＣＤ１１５がカメラユニット１０１の背面の左側に配置されている。この配置により、カメラユニット１０１単独で撮像する場合に、使用者がカメラユニット１０１の右側を保持しレリーズボタンを操作する時にカメラ表示部１１５が邪魔にならず、操作性を向上させることができる。
【００９７】
以上説明したように、カメラユニット１０１は、撮像素子１２８に結像させる撮像レンズ１１２と、撮像した画像を表示させるカメラ表示部１１５と、レリーズボタンなど撮像用の操作部１２４とを有する構成であるので、本体ユニット１から分離させて、カメラユニット１０１単独で撮像し、撮像した画像を表示させることができる。
【００９８】
また、本体ユニット１は、本体筐体１０の背面に設けた本体表示部１５と、レリーズボタン１９、メニューボタン１８などの撮像・再生用の操作部２４と、カメラユニット１０１を着脱可能に装着させる挿入部８と、カメラ信号交信部１３１と信号を交信する本体信号交信部３１と、カメラ表示部１１５の表示像を観察可能とする表示窓１１と、を有する構成であるので、本体ユニット１とカメラユニット１０１を結合して撮像・再生することができる。
【００９９】
また、本体ユニット１の表示窓１１の大きさをカメラ表示部１１５より小さくして、本体表示部１５を大きくし、また、本体表示部１５の全画面に画像を表示させるとともに、カメラ表示部１１５に画像に関連する情報を表示させて撮像・再生する構成としたので、撮像時、再生時の操作性が向上する。また、本体表示部１５とカメラ表示部１１５との表示像を本体ユニット１の背面である同じ面にて観察することができ、表示の視認性が向上する。
【０１００】
また、再生時には本体表示部１５、カメラ表示部１１５を使って画像の補正、整理、編集をすることができ、再生時の操作性が向上する。
【０１０１】
次に、第２実施形態を説明する。図１７は、カメラ表示部１１５と表示窓１１との間にファインダ光学系を設けたものである。なお、第１実施形態と同じ機能の部材には同じ番号を付し、重複する説明は省略する。
【０１０２】
カメラ表示部１１５は、図１７（ｂ）に示すように、カメラユニット１０１の背面の左側に配置され、カメラユニット１０１を本体ユニット１に装着した時に、背面から見ると本体表示部１５と重なる位置になる。そのため、表示窓１１が本体表示部１５の上部に配置され、ファインダ光学系がカメラ表示部１１５の表示像を表示窓１１に導く。ファインダ光学系は、カメラ表示部１１５の表示像を直角に折り曲げて上側に導く反射ミラーからなる屈曲部８２ａ、上側に導かれた表示像を直角に折り曲げて表示窓１１に導く反射ミラーからなる屈曲部８２ｂを有する。ファインダ光学系は、屈曲部８２ａ、８２ｂにファインダ倍率を拡大するレンズを付加して、表示像を見やすくしても良い。
【０１０３】
撮像時に本体表示部１５にライブビュー画像が表示され、カメラ表示部１１５に例えば撮像画像の設定情報が表示され、その表示像が屈曲部８２ａ、８２ｂに導かれて表示窓１１から観察される。また、再生時の表示に関しても第１実施形態と同様の表示内容が、本体表示部１５に表示されるとともに、カメラ表示部１１５の表示像が屈曲部８２ａ、８２ｂに導かれて表示窓１１から観察される。
【０１０４】
この構成により、本体表示部１５の画面サイズを大きくすることができ、見やすい表示となる。
【０１０５】
なお、カメラユニットの表示部がカメラ筐体の上面に設けられ、カメラユニットの表示部の表示像を観察する表示窓が本体筐体の上面に設けられる構成でも良い。
【０１０６】
また、本体ユニットの表示部に撮像・再生画像を表示してカメラユニットの表示部に画像に関連する情報を表示する構成に替えて、カメラユニットの表示部に撮像・再生画像を表示して本体ユニットの表示部に画像に関連する情報を表示する構成でも良い。
【０１０７】
また、表示部を設けた筐体の背面を傾斜させた面にして見やすくしても良い。
【０１０８】
また、カメラユニットの制御部が圧縮画像、サムネイル画像、タグ情報の画像データを生成する替わりに、本体ユニットの制御部が画像データを生成する構成でも良い。
【図面の簡単な説明】
【０１０９】
【図１】本発明の光学装置の分離状態を示す斜視図（ａ）および装着状態を示す斜視図（ｂ）。
【図２】本発明の光学装置の分離状態を示す背面図（ａ）および装着状態を示す背面図（ｂ）。
【図３】本発明の光学装置の分離状態を示す透視図（ａ）および装着状態を示す透視図（ｂ）。
【図４】本発明の光学装置の構成を模式的に示す図。
【図５】本発明の光学装置の分離、装着、撮像のフロー図。
【図６】本発明の光学装置の分離、装着、撮像のフロー図。
【図７】本発明の光学装置の撮像モードにおける表示のフロー図。
【図８】本発明の光学装置の再生モードにおける表示のフロー図。
【図９】本発明の光学装置の再生モードにおける表示のフロー図。
【図１０】本発明の光学装置の第１の表示例を示す図。
【図１１】本発明の光学装置の第２の表示例を示す図。
【図１２】本発明の光学装置の第３の表示例を示す図。
【図１３】本発明の光学装置の第４の表示例を示す図。
【図１４】本発明の光学装置の第５の表示例を示す図。
【図１５】本発明の光学装置の第６の表示例を示す図。
【図１６】本発明の光学装置の第７の表示例を示す図。
【図１７】本発明の光学装置の第２実施形態の透視図（ａ）、背面図（ｂ）。
【符号の説明】
【０１１０】
１  本体ユニット
８  挿入部
９  本体検知スイッチ
１０  本体筐体
１１  表示窓
１５  本体表示部
２０  本体電源スイッチ
２３  メモリカード
２４、１２４  操作部
２６、１２６  制御部
３１  本体信号交信部
８２  ファインダ光学系
１０１  カメラユニット
１０９  カメラ検知スイッチ
１１０  カメラ筐体
１１２  撮像レンズ
１１５  カメラ表示部
１２０  カメラ電源スイッチ
１２８  撮像素子
１３１  カメラ信号交信部
【図１】
2007173910.tif 000003
【図２】
2007173910.tif 000004
【図３】
2007173910.tif 000005
【図４】
2007173910.tif 000006
【図５】
2007173910.tif 000007
【図６】
2007173910.tif 000008
【図７】
2007173910.tif 000009
【図８】
2007173910.tif 000010
【図９】
2007173910.tif 000011
【図１０】
2007173910.tif 000012
【図１１】
2007173910.tif 000013
【図１２】
2007173910.tif 000014
【図１３】
2007173910.tif 000015
【図１４】
2007173910.tif 000016
【図１５】
2007173910.tif 000017
【図１６】
2007173910.tif 000018
【図１７】
2007173910.tif 000019